(57)【要約】  複数の配管（１〜３）が周囲に配置される給湯器の貯湯タンク（４０）の上部を覆う断熱カバー（１０）。断熱カバーは、貯湯タンクの上面を覆う上面部（２０）と、上面部と一体的に形成され、貯湯タンクの側面の上部を覆う筒状の側面部（３０）と、を備えている。側面部には、各配管のそれぞれを個別に支持する複数の配管支持部（３１〜３６）が形成されている。複数の配管支持部は、それぞれ、配管が載置される載置部（３１ａ〜３６ａ）と、載置部に隣接し、配管の側面が接触する側面支持部（３１ｂ〜３６ｂ）と、を有している。
2020152853.tif 000002
【特許請求の範囲】
【請求項１】
複数の配管が周囲に配置される給湯器の貯湯タンクの上部を覆う断熱カバーであって、  前記貯湯タンクの上面を覆う上面部と、  前記上面部と一体的に形成され、前記貯湯タンクの側面の上部を覆う筒状の側面部と、を備え、  前記側面部には、  各配管のそれぞれを個別に支持する複数の配管支持部が形成されており、  複数の前記配管支持部は、それぞれ、  前記配管が載置される載置部と、  前記載置部の前記配管の延伸方向に沿う端部から延びる壁部であって、前記配管の側面が接触する側面支持部と、を有する、断熱カバー。
【請求項２】
複数の前記配管支持部の前記載置部は、それぞれ、  前記上面部と連続的に形成され、前記配管の背面が接触する背面支持部と、  前記背面支持部の下端と連続的に形成され、前記配管の下方への荷重を支える支持側係合部と、を有する、請求項１に記載の断熱カバー。
【請求項３】
複数の前記配管支持部のうちの少なくとも１つの前記載置部は、  前記支持側係合部の下端と連続的に形成され、前記配管の背面を支持する下方支持部を有する、請求項２に記載の断熱カバー。
【請求項４】
前記側面部の互いに対向する位置のそれぞれに、少なくとも１つの前記配管支持部が形成されている、請求項１〜３の何れか一項に記載の断熱カバー。
【請求項５】
前記配管支持部に対し前記配管の全体的な荷重がかかる方向を支持方向としたとき、  少なくとも１つの前記配管支持部の前記支持方向と、他の少なくとも１つの前記配管支持部の前記支持方向とが、互いに交差している、請求項１〜４の何れか一項に記載の断熱カバー。
【請求項６】
複数の前記配管支持部のうち、２以上の前記配管支持部が隣接して平行に形成されている、請求項１〜５の何れか一項に記載の断熱カバー。
【請求項７】
給湯器の貯湯タンクと、  前記貯湯タンクの周囲に配置される複数の配管と、  請求項１〜６の何れか一項に記載の断熱カバーと、を備え、  複数の前記配管は、それぞれ、  側面が前記側面支持部に接触するように配置される上端部と、  前記上端部の下端に接続され、前記載置部に接触するように配置される配管側係合部と、を有する、タンクユニット。
【請求項８】
複数の前記配管支持部は、それぞれ、各配管の前記上端部と前記配管側係合部とによる屈曲形状に合わせた形状となっている、請求項７に記載のタンクユニット。
【請求項９】
複数の前記配管のうちの少なくとも１つは、下端が前記貯湯タンクの側面に接続されている、請求項７又は８に記載のタンクユニット。
【請求項１０】
複数の前記配管のうちの少なくとも１つは、２つの前記上端部を有し、  ２つの前記上端部は、前記配管側係合部によって連結されている、請求項７〜９の何れか一項に記載のタンクユニット。
【発明の詳細な説明】
【技術分野】
【０００１】  本発明は、給湯器の貯湯タンクを断熱する断熱カバー及び断熱カバーを備えたタンクユニットに関する。
【背景技術】
【０００２】  給湯器の貯湯タンクには、貯めた湯の温度が下がらないように、容器の上部に断熱カバーが設けられている（例えば、特許文献１参照）。特許文献１の断熱カバーは、貯湯タンクの上端部に接続された配管を上部から逃がすため、発砲断熱材の上部に設けられた開口部に蓋部材が嵌まるようになっている。
【先行技術文献】
【特許文献】
【０００３】
【特許文献１】特開２０１７−９２１６号公報
【発明の概要】
【発明が解決しようとする課題】
【０００４】  ところで、貯湯タンクを有する給湯器の室内機は、貯湯タンクの周囲に複数の配管が配置され、これらの配管は、貯湯タンク、熱源部、又は湯の供給先などに連結される。そして、従来の断熱カバーは、貯湯タンクの周囲に配置される配管を避けるよう、なるべく配管と接触しないように形成されている。よって、貯湯タンクの周囲に配置される配管を貯湯タンクなどに連結する際、サービスマン等は、配管を支えた状態で連結作業を行わなければならない。【０００５】  本発明は、上記のような課題を解決するためになされたものであり、貯湯タンクの周囲に配置される配管の連結作業の容易化により、作業効率の向上を実現する断熱カバー及びタンクユニットを提供することを目的とする。
【課題を解決するための手段】
【０００６】  本発明に係る断熱カバーは、複数の配管が周囲に配置される給湯器の貯湯タンクの上部を覆う断熱カバーであって、貯湯タンクの上面を覆う上面部と、上面部と一体的に形成され、貯湯タンクの側面の上部を覆う筒状の側面部と、を備え、側面部には、各配管のそれぞれを個別に支持する複数の配管支持部が形成されており、複数の配管支持部は、それぞれ、配管が載置される載置部と、載置部の配管の延伸方向に沿う端部から延びる壁部であって、配管の側面が接触する側面支持部と、を有している。【０００７】  本発明に係るタンクユニットは、給湯器の貯湯タンクと、貯湯タンクの周囲に配置される複数の配管と、上記の断熱カバーと、を備え、複数の配管は、それぞれ、側面が側面支持部に接触するように配置される上端部と、上端部の下端に接続され、載置部に接触するように配置される配管側係合部と、を有するものである。
【発明の効果】
【０００８】  本発明によれば、断熱カバーの側面部に、貯湯タンクの周囲に配置される複数の配管をそれぞれ個別に支持する複数の配管支持部が形成され、配管支持部は載置部と側面支持部とを有することから、貯湯タンクの周囲に配置される配管を安定的に支持することができる。よって、貯湯タンクの周囲に配置される配管の連結作業を容易にし、作業効率の向上を図ることができる。
【図面の簡単な説明】
【０００９】
【図１】本発明の実施の形態に係る給湯器の室内機の外観を例示した斜視図である。
【図２】図１の室内機のケーシングに内包されるタンクユニット及びその周辺構成を例示した斜視図である。
【図３】図１の給湯器の室内機の回路構成を例示した模式図である。
【図４】図２の断熱カバーを示す斜視図である。
【図５】図４の断熱カバーを他の方向からみた斜視図である。
【図６】図４の断熱カバーをその他の方向からみた斜視図である。
【図７】図４の断熱カバーの平面図である。
【図８】図２の貯湯タンクに断熱カバーと各配管とを組み付ける手順を示す説明図である。
【図９】図８の貯湯タンクに嵌め込まれた断熱カバーに各配管を配置する様子を示す説明図である。
【発明を実施するための形態】
【００１０】実施の形態．  図１は、本発明の実施の形態に係る給湯器の室内機の外観を例示した斜視図である。図２は、図１の室内機のケーシングに内包されるタンクユニット及びその周辺構成を例示した斜視図である。図３は、図１の給湯器の室内機の回路構成を例示した模式図である。図１〜図３を参照して、本実施の形態における給湯器の室内機の全体的な構成について説明する。なお、図１及び図２では、ｘ軸正方向を前方向、ｘ軸負方向を後方向とし、ｙ軸正方向を左方向、ｙ軸負方向を左方向とし、ｚ軸正方向を上方向、ｚ軸負方向を下方向とする。以降の各図においても同様である。また、各部材に共通する内容を説明するときは、便宜上符号を省略することがある。
【００１１】  図１に示すように、給湯器の室内機１００は、外郭をなす直方体状のケーシング５を有しており、ケーシング５の上壁部５ａには、貯湯タンク４０の周囲に配置される複数の配管の上端が貫通する複数の貫通孔５ｈが形成されている。ケーシング５は、板金により形成され、貯湯タンク４０の側方及び上方を覆っている。
【００１２】  図２に示すように、室内機１００は、ケーシング５内に、タンクユニット５０と、回路部６０と、を有している。タンクユニット５０は、給湯器の貯湯タンク４０と、貯湯タンク４０の周囲に配置される複数の配管と、貯湯タンク４０の上部を覆う断熱カバー１０と、を有している。なお、貯湯タンク４０の側面のうち、断熱カバー１０で覆われていない箇所は、他の断熱性を有する側面カバーによって覆われている。
【００１３】  図１〜図３では、貯湯タンク４０の周囲に配置される複数の配管として、配管１ａ、配管１ｂ、配管２ａ、配管２ｂ、配管３ａ、及び配管３ｂを例示している。配管１ａ及び配管１ｂは、ブライン回路８０を構成するブライン配管１に含まれる。配管２ａ及び配管２ｂは、熱媒体回路９０を構成する熱媒体配管２に含まれる。配管３ａは、浴室にあるシャワー等のような温水の供給先につながっている。配管３ｂは、上水道などの水の供給元につながっている。すなわち、貯湯タンク４０内の温水が配管３ａを通じて供給先に運ばれ、供給元から配管３ｂを通じて貯湯タンク４０内に水が供給される。配管１ａ、配管１ｂ、配管２ａ、配管２ｂ、配管３ａ、及び配管３ｂの上端は、図１のようにケーシング５で覆われた状態で、各貫通孔５ｈを通り上壁部５ａの上面から外部へ突出している。
【００１４】  配管１ａは、上端が地中熱交換器（図示せず）に繋がっており、下端が箱体６０ａ内の蒸発器７４に繋がっている。配管１ｂは、上端が地中熱交換器に繋がっており、下端が箱体６０ａ内のポンプ８１に繋がっている。配管２ａは、主管２ｍの上端が負荷装置（図示せず）に繋がっている。配管２ａは、下端のうちの一方が接続部２ｘにおいて貯湯タンク４０の側面に接続されており、下端のうちの他方が箱体６０ａ内の凝縮器７２に繋がっている。配管２ａの下端のうちの一方は、Ｌ字状のクイックファスナーなどの連結手段を介して貯湯タンク４０の側面に接続されている。
【００１５】  配管２ｂは、上端が負荷装置に繋がっている。配管２ｂは、下端のうちの一方が接続部２ｙにおいて貯湯タンク４０の側面に接続されており、下端のうちの他方が箱体６０ａ内のポンプ９１に繋がっている。配管２ｂの下端のうちの一方は、Ｌ字状のクイックファスナーなどの連結手段を介して貯湯タンク４０の側面に接続されている。配管３ａは、上端が供給先に繋がっており、下端が接続部３ｘにおいて貯湯タンク４０の側面に接続されている。配管３ｂは、上端が供給元に繋がっており、下端が接続部３ｙにおいて貯湯タンク４０の側面に接続されている。
【００１６】  図３に示すように、回路部６０は、外郭をなす箱体６０ａを有すると共に、箱体６０ａの内部に、熱源部７０と、ポンプ８１と、ポンプ９１と、を有している。熱源部７０は、圧縮機７１と凝縮器７２と減圧装置７３と蒸発器７４とが冷媒配管７により接続され、冷媒が循環する冷媒回路７５を含んでいる。
【００１７】  圧縮機７１は、例えばインバータにより駆動され、冷媒を圧縮する。凝縮器７２は、例えばフィンアンドチューブ型熱交換器からなり、冷媒回路７５を流れる冷媒と、熱媒体回路９０を流れる熱媒体との間で熱交換させる。減圧装置７３は、例えば電子膨張弁からなり、冷媒を減圧して膨張させる。蒸発器７４は、例えばフィンアンドチューブ型熱交換器からなり、冷媒回路７５を流れる冷媒と、ブライン回路８０を流れるブラインとの間で熱交換させる。
【００１８】  本実施の形態において、ブライン回路８０は、ポンプ８１と蒸発器７４と地中熱交換器とがブライン配管１を介して接続され、ブラインが循環する回路である。つまり、ブライン回路８０において、ポンプ８１により押し出され、蒸発器７４を通過したブラインは、配管１ａを介して地中熱交換器に流れ込み、地中熱交換器を通過したブラインは、ポンプ８１に流入する。
【００１９】  本実施の形態において、熱媒体回路９０は、ポンプ９１と凝縮器７２と貯湯タンク４０と負荷装置とが熱媒体配管２を介して接続され、水又は不凍性の液体である熱媒体が循環する回路である。負荷装置としては、床暖房又は壁暖房などが想定される。熱媒体回路９０において、ポンプ９１により押し出され、凝縮器７２を通過した熱媒体は、配管２ａの分岐部２ｓにおいて、負荷装置側と貯湯タンク４０側とに分岐する。
【００２０】  分岐部２ｓから負荷装置側に流入した熱媒体は、配管２ａの主管２ｍから負荷装置に流れ込み、負荷装置を通過した熱媒体は、配管２ｂの合流部２ｊを経てポンプ９１に流入する。なお、配管２ａは、分流部２ｆにおいて主管２ｍから分岐する分岐管２ｎを有しており、分岐管２ｎの先端には圧力センサ２８が設けられている。
【００２１】  分岐部２ｓから貯湯タンク４０側に流入した熱媒体は、接続部２ｘを経て内部配管２ｚを通過し、接続部２ｙを経て配管２ｂに流れ込み、合流部２ｊを経てポンプ９１に流入する。なお、図３に示す白抜き矢印は、熱媒体回路９０における熱媒体の流れを示している。
【００２２】  断熱カバー１０は、貯湯タンク４０の上面を覆う上面部２０と、上面部２０と一体的に形成され、貯湯タンク４０の側面の上部を覆う筒状の側面部３０と、を有している。上面部２０は、側面部３０の上側の開口を閉塞している。断熱カバー１０の貯湯タンク４０に対向する側は、貯湯タンク４０の上部が嵌まる形状となっている。すなわち、断熱カバー１０の下側の形状は、貯湯タンク４０の上部の形状に合わせて形成されている。断熱カバー１０の材料としては、発泡剤を用いることができる。側面部３０には、貯湯タンク４０の周囲に配置される複数の配管をそれぞれ個別に支持する複数の配管支持部３１〜３６が形成されている。配管支持部の幅は、載置される配管が収まるよう、当該配管の管径よりも若干大きくなっている。
【００２３】  図４は、図２の断熱カバーを示す斜視図である。図５は、図４の断熱カバーを他の方向からみた斜視図である。図６は、図４の断熱カバーをその他の方向からみた斜視図である。図７は、図４の断熱カバーの平面図である。図８は、図２の貯湯タンクに断熱カバーと各配管とを組み付ける手順を示す説明図である。図９は、図８の貯湯タンクに嵌め込まれた断熱カバーに各配管を配置する様子を示す説明図である。なお、図面の煩雑化を避けるため、貯湯タンク４０の周囲に配置される各配管についての詳細な符号は図８及び図９だけに付している。図４〜図９を参照して、断熱カバーの形状について具体的に説明する。
【００２４】  側面部３０には、配管１ａ、１ｂ、２ａ、２ｂ、３ａ、及び３ｂのそれぞれを個別に支持する複数の配管支持部３１〜３６が形成されている。配管支持部３１は、配管１ａを支持する箇所であり、配管１ａの上部に沿うよう、配管１ａの上部の屈曲に合わせた形状となっている。配管支持部３２は、配管１ｂを支持する箇所であり、配管１ｂの上部に沿うよう、配管１ｂの上部の屈曲に合わせた形状となっている。配管支持部３３は、配管２ａを支持する箇所であり、配管２ａの上部に沿うよう、配管２ａの上部の屈曲に合わせた形状となっている。配管支持部３４は、配管２ｂを支持する箇所であり、配管２ｂの上部に沿うよう、配管２ｂの上部の屈曲に合わせた形状となっている。配管支持部３５は、配管３ａを支持する箇所であり、配管３ａの上部に沿うよう、配管３ａの上部の屈曲に合わせた形状となっている。配管支持部３６は、配管３ｂを支持する箇所であり、配管３ｂの上部に沿うよう、配管３ｂの上部の屈曲に合わせた形状となっている。
【００２５】  図４に示すように、配管支持部３３は、配管２ａが載置される載置部３３ａと、載置部３３ａに隣接し、配管２ａの側面が接触する側面支持部３３ｂと、を有している。側面支持部３３ｂは、載置部３３ａの配管２ａの延伸方向に沿う端部から延びる壁部である。すなわち、側面支持部３３ｂは、載置部３３ａから上方に延びる壁部であり、載置部３３ａとのなす角は９０度程度となっている。側面支持部３３ｂは、配管２ａにおける主管２ｍの側面と分岐管２ｎの側面とが接触するように形成されている。
【００２６】  載置部３３ａは、上面部２０と連続的に形成され、配管２ａの分岐管２ｎの背面が接触する背面支持部３３ｈｘと、背面支持部３３ｈｘの下端と連続的に形成され、配管２ａの分岐管２ｎが載せられる支持側係合部３３ｋと、を有している。支持側係合部３３ｋは、配管２ａの下方への荷重を支える箇所である。また、載置部３３ａは、支持側係合部３３ｋの下端と連続的に形成され、配管２ａの背面を支持する下方支持部３３ｎを有している。さらに、載置部３３ａは、配管２ａの主管２ｍの背面が接触する背面支持部３３ｈｙを有している。
【００２７】  ここで、配管２ａの背面とは、配管２ａが載置部３３ａに対向する側の面であり、配管２ａの側面とは、配管２ａが側面支持部３３ｂに対向する側の面である。配管１ａ、１ｂ、２ｂ、３ａ、及び３ｂの背面及び側面についても同様である。
【００２８】  図７に示すように、配管支持部３３には、背面支持部３３ｈｙの一部と、側面支持部３３ｂの一部と、下方支持部３４ｎとにより、平面視Ｕ字状の溝部３３ｇが形成されている。このようにすれば、主管２ｍにおける分流部２ｆの下部が溝部３３ｇに嵌め込まれるため、より安定的に配管２ａを支持することができる。なお、図７には、各配管支持部に対し配管の全体的な荷重がかかる方向である支持方向を白抜き矢印で示している。
【００２９】  配管支持部３４は、配管２ｂが載置される載置部３４ａと、載置部３４ａに隣接し、配管２ｂの側面が接触する側面支持部３４ｂと、を有している。載置部３４ａは、上面部２０と連続的に形成され、配管２ｂの背面が接触する背面支持部３４ｈと、背面支持部３４ｈの下端と連続的に形成され、配管２ｂの下方への荷重を支える支持側係合部３４ｋと、を有している。また、載置部３４ａは、支持側係合部３４ｋの下端と連続的に形成され、配管２ｂの背面を支持する下方支持部３４ｎを有している。側面支持部３４ｂは、載置部３４ａの配管２ｂの延伸方向に沿う端部から延びる壁部である。すなわち、側面支持部３４ｂは、載置部３４ａから上方に延びる壁部であり、載置部３４ａとのなす角は９０度程度となっている。
【００３０】  図５に示すように、配管支持部３５は、配管３ａが載置される載置部３５ａと、載置部３５ａに隣接し、配管３ａの側面が接触する側面支持部３５ｂと、を有している。載置部３５ａは、上面部２０と連続的に形成され、配管３ａの背面が接触する背面支持部３５ｈと、背面支持部３５ｈの下端と連続的に形成され、配管３ａの下方への荷重を支える支持側係合部３５ｋと、を有している。また、載置部３５ａは、支持側係合部３５ｋの下端と連続的に形成され、配管３ａの背面を支持する下方支持部３５ｎを有している。側面支持部３５ｂは、載置部３５ａの配管３ａの延伸方向に沿う端部から延びる壁部である。すなわち、側面支持部３５ｂは、載置部３５ａから上方に延びる壁部であり、載置部３５ａとのなす角は９０度程度となっている。
【００３１】  配管支持部３６は、配管３ｂが載置される載置部３６ａと、載置部３６ａに隣接し、配管３ｂの側面が接触する側面支持部３６ｂと、を有している。載置部３６ａは、上面部２０と連続的に形成され、配管３ｂの背面が接触する背面支持部３６ｈと、背面支持部３６ｈの下端と連続的に形成され、配管３ｂの下方への荷重を支える支持側係合部３６ｋと、を有している。また、載置部３６ａは、支持側係合部３６ｋの下端と連続的に形成され、配管３ｂの背面を支持する下方支持部３６ｎを有している。側面支持部３６ｂは、載置部３６ａの配管３ｂの延伸方向に沿う端部から延びる壁部である。すなわち、側面支持部３６ｂは、載置部３６ａから上方に延びる壁部であり、載置部３６ａとのなす角は９０度程度となっている。
【００３２】  図６に示すように、配管支持部３１は、配管１ａが載置される載置部３１ａと、載置部３１ａに隣接し、配管１ａの側面が接触する側面支持部３１ｂと、を有している。載置部３１ａは、上面部２０と連続的に形成され、配管１ａの背面が接触する背面支持部３１ｈと、背面支持部３１ｈの下端と連続的に形成され、配管１ａの下方への荷重を支える支持側係合部３１ｋと、を有している。また、載置部３１ａは、支持側係合部３１ｋの下端と連続的に形成され、配管１ａの背面を支持する下方支持部３１ｎを有している。側面支持部３１ｂは、載置部３１ａの配管１ａの延伸方向に沿う端部から延びる壁部である。すなわち、側面支持部３１ｂは、載置部３１ａから上方に延びる壁部であり、載置部３１ａとのなす角は９０度程度となっている。
【００３３】  配管支持部３２は、配管１ｂが載置される載置部３２ａと、載置部３２ａに隣接し、配管１ｂの側面が接触する側面支持部３２ｂと、を有している。載置部３２ａは、上面部２０と連続的に形成され、配管１ｂの背面が接触する背面支持部３２ｈと、背面支持部３２ｈの下端と連続的に形成され、配管１ｂの下方への荷重を支える支持側係合部３２ｋと、を有している。また、載置部３２ａは、支持側係合部３２ｋの下端と連続的に形成され、配管１ｂの背面を支持する下方支持部３２ｎを有している。側面支持部３２ｂは、載置部３２ａの配管１ｂの延伸方向に沿う端部から延びる壁部である。すなわち、側面支持部３２ｂは、載置部３２ａから上方に延びる壁部であり、載置部３２ａとのなす角は９０度程度となっている。
【００３４】  図８及び図９に示すように、配管１ａ、配管１ｂ、配管２ａ、配管２ｂ、配管３ａ、及び配管３ｂは、それぞれ、上端部４ａと、上端部４ａの下端に接続された配管側係合部４ｂと、を有している。各配管の配管側係合部４ｂは、それぞれ、載置部の支持側係合部に載せられる。
【００３５】  より具体的に、配管１ａの上端部４ａは、側面が側面支持部３１ｂに接触するように配置され、配管１ａの配管側係合部４ｂは、載置部３１ａに接触するように配置される。配管１ｂの上端部４ａは、側面が側面支持部３２ｂに接触するように配置され、配管１ｂの配管側係合部４ｂは、載置部３２ａに接触するように配置される。
【００３６】  配管２ａは、主管２ｍと分岐管２ｎとのそれぞれに上端部４ａを有している。２つの上端部４ａは、何れも、側面が側面支持部３３ｂに接触するように配置され、配管側係合部４ｂによって連結されている。配管側係合部４ｂは、載置部３３ａに接触するように配置される。
【００３７】  配管２ｂの上端部４ａは、側面が側面支持部３４ｂに接触するように配置され、配管２ｂの配管側係合部４ｂは、載置部３４ａに接触するように配置される。配管３ａの上端部４ａは、側面が側面支持部３５ｂに接触するように配置され、配管３ａの配管側係合部４ｂは、載置部３５ａに接触するように配置される。配管３ｂの上端部４ａは、側面が側面支持部３６ｂに接触するように配置され、配管３ｂの配管側係合部４ｂは、載置部３６ａに接触するように配置される。
【００３８】  ここで、図８及び図９を参照して、貯湯タンク４０に対し、断熱カバー１０及び各配管が取り付けられる手順について説明する。
【００３９】  まず、図８に示すように、貯湯タンク４０の上部に断熱カバー１０を配置し、矢印（１）で示すように、貯湯タンク４０の上部に断熱カバー１０を嵌め込んで、図９に示すような状態にする。
【００４０】  次いで、図９に示すように、各配管を、それぞれに対応する配管支持部の上部又は近傍に配置する。そして、矢印（２）で示すように、各配管を各配管支持部に当接させて支持させる。実際には、各配管を一本ずつ断熱カバー１０の配管支持部に載せる。その際、配管支持部に載せた配管の下端を貯湯タンク４０等に接続する。
【００４１】  すなわち、配管１ａは、配管支持部３１に支持された後、下端が蒸発器７４に連結され、上端が地中熱交換器に連結される。配管１ｂは、配管支持部３２に支持された後、下端がポンプ８１に連結され、上端が地中熱交換器に連結される。配管２ａは、配管支持部３３に支持された後、下端のうちの一方が接続部２ｘにおいて貯湯タンク４０の側面に接続され、下端のうちの他方が凝縮器７２に連結される。また、配管２ａは、主管２ｍの上端が負荷装置に連結される。
【００４２】  配管２ｂは、配管支持部３４に支持された後、下端のうちの一方が接続部２ｙにおいて貯湯タンク４０の側面に接続され、下端のうちの他方がポンプ９１に連結される。また、配管２ｂは、上端が負荷装置に連結される。配管３ａは、配管支持部３５に支持された後、下端が接続部３ｘにおいて貯湯タンク４０の側面に接続され、上端が供給先に連結される。配管３ｂは、配管支持部３６に支持された後、下端が接続部３ｙにおいて貯湯タンク４０の側面に接続され、上端が供給元に連結される。
【００４３】  以上のように、本実施の形態の断熱カバー１０は、複数の配管をそれぞれ個別に支持する複数の配管支持部３１〜３６が側面部３０に形成されている。そして、複数の配管支持部３１〜３６は、それぞれ、載置部と側面支持部とを有することから、貯湯タンク４０の周囲に配置される各配管を安定的に支持することができる。よって、貯湯タンク４０の周囲に配置される配管の連結作業を容易にし、作業効率の向上を図ることができる。すなわち、従来は、結束バンドなどの結束部材を用いて配管を断熱カバーの周囲に固定して連結作業を行っていたが、本実施の形態の断熱カバー１０は、複数の配管支持部を有するため、結束部材を用いることなく、各配管を安定的に支持することができる。そして、断熱カバー１０は、載置部３１ａ〜３６ａに載せられた各配管の重さにより、上方向に外れにくくなる。
【００４４】  また、複数の配管支持部３１〜３６の載置部は、それぞれ、上面部２０と連続的に形成され、各配管の背面が接触する背面支持部と、各配管が載せられる支持側係合部と、を有している。よって、各配管の背面を２方向から支えることができるため、支持側係合部の作用と相まって、各配管をより安定的に支持することができる。
【００４５】  加えて、複数の配管支持部３１〜３６の載置部は、支持側係合部の下端と連続的に形成され、各配管の背面を支持する下方支持部を有している。よって、各配管の背面を３箇所で支えることにより、各配管をさらに安定的に支持することができる。もっとも、複数の配管支持部３１〜３６には、載置部が下方支持部を有しないものがあってもよく、複数の配管支持部３１〜３６の全ての載置部が下方支持部を有しなくてもよい。
【００４６】  断熱カバー１０は、側面部３０の互いに対向する位置のそれぞれに、少なくとも１つの配管支持部が形成されている。本実施の形態における断熱カバー１０は、配管支持部３１及び３２と配管支持部３５及び３６とが対向するように配置されている。また、配管支持部３３は、配管支持部３５及び３６と対向するように配置されている。このようにすれば、配管によって断熱カバー１０を挟み込むことができるため、断熱カバー１０を安定的に支持することができる。
【００４７】  断熱カバー１０は、配管支持部に対し配管の全体的な荷重がかかる方向を支持方向としたとき、少なくとも１つの配管支持部の支持方向と、他の少なくとも１つの配管支持部の支持方向とが、互いに交差するように構成されている。本実施の形態における断熱カバー１０は、例えば、配管支持部３１及び３２における支持方向と、配管支持部３５及び３６における支持方向とが交差している。また、配管支持部３３における支持方向は、配管支持部３１及び３２における支持方向と交差すると共に、配管支持部３５及び３６における支持方向とも交差している。加えて、配管支持部３４における支持方向は、配管支持部３１及び３２における支持方向と交差すると共に、配管支持部３５及び３６における支持方向と交差している。
【００４８】  このように、多様な支持方向が組み合わさるように複数の配管支持部を形成し、複数の配管支持部をバランスよく配置することにより、断熱カバー１０の周方向の回転を抑制し、断熱カバー１０をより安定的に支持することができる。すなわち、ある配管支持部の支持方向と他の配管支持部の支持方向とが互いに交差するようにし、これらの配管支持部に配管を配置することにより、断熱カバー１０の固定強度を増加させることができる。なお、本実施の形態における断熱カバー１０は、各配管支持部における支持方向が、それぞれ、断熱カバー１０の中心部へ向かうように形成されている。
【００４９】  断熱カバー１０は、複数の配管支持部３１〜３６のうち、２以上の配管支持部が隣接して平行に形成されている。本実施の形態の断熱カバー１０は、配管支持部３１と配管支持部３２とが隣接して平行に形成され、配管支持部３５と配管支持部３６とが隣接して平行に形成されている。このようにすれば、多くの配管を貯湯タンク４０の周囲に安定的に配置することができる。もっとも、本実施の形態では、２つの配管支持部が隣接して平行に形成された例を図示したが、これに限らず、断熱カバー１０は、隣接して平行に形成された３つ以上の配管支持部を有していてもよい。
【００５０】  タンクユニット５０の複数の配管は、それぞれ、側面が側面支持部に接触するように配置される上端部４ａと、上端部４ａの下端に接続され、載置部に接触するように配置される配管側係合部４ｂと、を有している。すなわち、タンクユニット５０の複数の配管は、それぞれ、上部が屈曲しており、その屈曲形状に合わせて各配管支持部が掘られている。したがって、各配管は各配管支持部によって安定的に支持される。
【００５１】  また、断熱カバー１０の複数の配管支持部３１〜３６は、それぞれ、各配管の上端部４ａと配管側係合部４ｂとによる屈曲形状に合わせた形状となっている。そして、貯湯タンク４０の周囲に配置される複数の配管の各々の屈曲形状は、互いに異なっている。したがって、各配管と各配管支持部との対応関係を一見して把握することができるため、どの配管をどの配管支持部に配置するかを容易に見分けることができる。すなわち、タンクユニット５０の組み立ての際、配管の上部と、断熱カバー１０に形成されている配管支持部の形状とを見比べることにより、各配管を簡単に正しい位置へ配置することができる。
【００５２】  さらに、配管２ａは、２つの上端部４ａを有しており、これら２つの上端部４ａは、配管側係合部４ｂによって連結されている。したがって、配管２ａは、配管支持部３３に載せた状態において、主管２ｍの上端部４ａが、背面支持部３３ｈｙ、下方支持部３３ｎ、及び側面支持部３３ｂに支持され、分岐管２ｎの上端部４ａが、背面支持部３３ｈｘ及び側面支持部３３ｂに支持される。加えて、配管２ａは、配管側係合部４ｂが支持側係合部３３ｋに係合する。よって、配管２ａは、配管支持部３３によって安定的に支持することができる。なお、上記実施の形態では、２つの上端部４ａを有する配管として配管２ａのみを例示したが、これに限らず、タンクユニット５０は、２つの上端部４ａを有する複数の配管を有していてもよい。
【００５３】  さらに、タンクユニット５０において、複数の配管のうちの少なくとも１つは、下端が貯湯タンク４０の側面に接続されている。本実施の形態では、配管２ａの下端のうちの一方と、配管２ｂの下端のうちの一方とが、貯湯タンク４０の側面に接続されている。そして、配管２ａ及び配管２ｂは、貯湯タンク４０の側面に沿って上方向に伸びており、上部が配管支持部によって支持されている。したがって、特許文献１の断熱カバーのように、複数の配管をまとめて通過させる大きな開口部を中央部に設ける必要がない。つまり、断熱カバーを発砲断熱材と蓋部材とに分けて作成する必要がないため、本実施の形態の構成を採れば、断熱カバーの形成が容易となる。
【００５４】  上記の実施の形態は、断熱カバー及びタンクユニットにおける好適な具体例であり、本発明の技術的範囲は、これらの態様に限定されるものではない。例えば、上記の実施の形態では、貯湯タンク４０の周囲に６本の配管が配置される例を示したが、これに限定されない。タンクユニット５０において、貯湯タンク４０の周囲に配置される配管は、２本以上５本以下であってもよく、７本以上であってもよい。加えて、配管支持部の形状は、各図に例示した形状に限らず、各配管の上部形状に合わせて適宜変更することができる。ただし、配管支持部は、載置部と側面支持部とを有するように構成する。
【００５５】  また、図１では、配管２ｂの下端のうちの一方が貯湯タンク４０の側面に直接的に接続された例を示したが、これに限らず、配管２ｂの下端のうちの一方は、別に設けられた冷媒回路等の熱交換器を介して貯湯タンク４０の側面に接続されてもよい。配管２ａの下端のうちの一方も同様、別に設けられた冷媒回路等の熱交換器を介して貯湯タンク４０の側面に接続されてもよい。なお、ブライン回路８０を循環させる熱媒体として、水などのブライン以外の熱媒体を採用してもよい。
【符号の説明】
【００５６】  １  ブライン配管、１ａ、１ｂ、２ａ、２ｂ、３ａ、３ｂ  配管、２  熱媒体配管、２ｆ  分流部、２ｊ  合流部、２ｍ  主管、２ｎ  分岐管、２ｓ  分岐部、２ｘ、２ｙ、３ｘ、３ｙ  接続部、２ｚ  内部配管、４ａ  上端部、４ｂ  配管側係合部、５  ケーシング、５ａ  上壁部、５ｈ  貫通孔、７  冷媒配管、１０  断熱カバー、２０  上面部、２８  圧力センサ、３０  側面部、３１〜３６  配管支持部、３１ａ〜３６ａ  載置部、３１ｂ〜３６ｂ  側面支持部、３１ｈ、３２ｈ、３３ｈｘ、３３ｈｙ、３４ｈ〜３６ｈ  背面支持部、３１ｋ〜３６ｋ  支持側係合部、３１ｎ〜３６ｎ  下方支持部、３３ｇ  溝部、４０  貯湯タンク、５０  タンクユニット、６０  回路部、６０ａ  箱体、７０  熱源部、７１  圧縮機、７２  凝縮器、７３  減圧装置、７４  蒸発器、７５  冷媒回路、８０  ブライン回路、８１、９１  ポンプ、９０  熱媒体回路、１００  室内機。
【図１】
2020152853.tif 000003
【図２】
2020152853.tif 000004
【図３】
2020152853.tif 000005
【図４】
2020152853.tif 000006
【図５】
2020152853.tif 000007
【図６】
2020152853.tif 000008
【図７】
2020152853.tif 000009
【図８】
2020152853.tif 000010
【図９】
2020152853.tif 000011
【手続補正書】
【提出日】令和3年1月14日(2021.1.14)
【手続補正２】
【補正対象書類名】明細書
【補正対象項目名】０００１
【補正方法】変更
【補正の内容】
【０００１】
本発明は、給湯器の貯湯タンクを断熱する断熱カバーを備えたタンクユニットに関する。
【手続補正３】
【補正対象書類名】明細書
【補正対象項目名】０００５
【補正方法】変更
【補正の内容】
【０００５】
本発明は、上記のような課題を解決するためになされたものであり、貯湯タンクの周囲に配置される配管の連結作業の容易化により、作業効率の向上を実現するタンクユニットを提供することを目的とする。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
本発明に係るタンクユニットは、箱体に載置された給湯器の貯湯タンクと、前記貯湯タンクの周囲に配置される複数の配管と、前記貯湯タンクの上部を覆う断熱カバーと、を備え、前記断熱カバーは、前記貯湯タンクの上面を覆う上面部と、前記上面部と一体的に形成され、前記貯湯タンクの側面の上部を覆う筒状の側面部と、を有し、前記側面部には、複数の前記配管のそれぞれを個別に支持する複数の配管支持部が設けられており、複数の前記配管支持部は、それぞれ、前記配管が載置される載置部と、前記載置部の前記配管の延伸方向に沿う端部から延びる壁部であって、前記配管の側面が接触する側面支持部と、を有し、複数の前記配管は、それぞれ、側面が前記側面支持部に接触するように配置される上端部と、前記上端部の下端に接続され、前記載置部に接触するように配置される配管側係合部と、を有し、複数の前記配管の下端が前記箱体の内部に繋がっているものである。
【手続補正６】
【補正対象書類名】特許請求の範囲
【補正対象項目名】全文
【補正方法】変更
【補正の内容】
【特許請求の範囲】
【請求項１】
箱体に載置された給湯器の貯湯タンクと、
前記貯湯タンクの周囲に配置される複数の配管と、
前記貯湯タンクの上部を覆う断熱カバーと、を備え、
前記断熱カバーは、
前記貯湯タンクの上面を覆う上面部と、
前記上面部と一体的に形成され、前記貯湯タンクの側面の上部を覆う筒状の側面部と、を有し、
前記側面部には、
複数の前記配管のそれぞれを個別に支持する複数の配管支持部が設けられており、
複数の前記配管支持部は、それぞれ、
前記配管が載置される載置部と、
前記載置部の前記配管の延伸方向に沿う端部から延びる壁部であって、前記配管の側面が接触する側面支持部と、を有し、
複数の前記配管は、それぞれ、
側面が前記側面支持部に接触するように配置される上端部と、
前記上端部の下端に接続され、前記載置部に接触するように配置される配管側係合部と、を有し、
複数の前記配管の下端が前記箱体の内部に繋がっている、タンクユニット。
【請求項２】
箱体に載置された給湯器の貯湯タンクと、
前記貯湯タンクの周囲に配置される複数の配管と、
前記貯湯タンクの上部を覆う断熱カバーと、を備え、
前記断熱カバーは、
前記貯湯タンクの上面を覆う上面部と、
前記上面部と一体的に形成され、前記貯湯タンクの側面の上部を覆う筒状の側面部と、を有し、
前記側面部には、
複数の前記配管のそれぞれを個別に支持する複数の配管支持部が設けられており、
複数の前記配管支持部は、それぞれ、
前記配管が載置される載置部と、
前記載置部の前記配管の延伸方向に沿う端部から延びる壁部であって、前記配管の側面が接触する側面支持部と、を有し、
複数の前記配管は、それぞれ、
側面が前記側面支持部に接触するように配置される上端部と、
前記上端部の下端に接続され、前記載置部に接触するように配置される配管側係合部と、を有し、
複数の前記配管のうちの少なくとも１つは、２つの前記上端部を有し、
２つの前記上端部は、前記配管側係合部によって連結されている、タンクユニット。
【請求項３】
複数の前記配管支持部は、それぞれ、各配管の前記上端部と前記配管側係合部とによる屈曲形状に合わせた形状となっている、請求項１または２に記載のタンクユニット。
【請求項４】
複数の前記配管のうちの少なくとも１つは、下端が前記貯湯タンクの側面に接続されている、請求項１〜３の何れか一項に記載のタンクユニット。
【請求項５】
複数の前記配管支持部の前記載置部は、それぞれ、
前記上面部と連続的に形成され、前記配管の背面が接触する背面支持部と、
前記背面支持部の下端と連続的に形成され、前記配管の下方への荷重を支える支持側係合部と、を有する、請求項１〜４の何れか一項に記載のタンクユニット。
【請求項６】
複数の前記配管支持部のうちの少なくとも１つの前記載置部は、
前記支持側係合部の下端と連続的に形成され、前記配管の背面を支持する下方支持部を有する、請求項５に記載のタンクユニット。
【請求項７】
前記側面部の互いに対向する位置のそれぞれに、少なくとも１つの前記配管支持部が形成されている、請求項１〜６の何れか一項に記載のタンクユニット。
【請求項８】
前記配管支持部に対し前記配管の全体的な荷重がかかる方向を支持方向としたとき、
少なくとも１つの前記配管支持部の前記支持方向と、他の少なくとも１つの前記配管支持部の前記支持方向とが、互いに交差している、請求項１〜７の何れか一項に記載のタンクユニット。
【請求項９】
複数の前記配管支持部のうち、２以上の前記配管支持部が隣接して平行に形成されている、請求項１〜８の何れか一項に記載のタンクユニット。
【国際調査報告】
2020152853.tif 000012
2020152853.tif 000013
2020152853.tif 000014
2020152853.tif 000015